(57)【要約】  【課題】放送受信機が取り扱う指向性切替アンテナの指向性方向を示す情報を、ユーザが変更できるようにする。  【解決手段】放送受信機に接続されたテレビに、アンテナ方向割付画面Ｇ２を表示させる。この画面Ｇ２で、ユーザは、放送受信機で想定しているスマートアンテナの各指向性方向を示す方向番号「０〜１５」に対して、自身が方角を識別できるように各方向番号「（０）〜（１５）」を割り付ける。すると、放送受信機は、両方向番号の対応関係をテーブルとして記録する。この後、放送受信機は、記録したテーブルから、実際にスマートアンテナが向いている指向性方向を示す方向番号「０〜１５」に対応する方向番号「（０）〜（１５）」を読み出して、テレビに表示させる。【選択図】  図４
2006005782.tif 000002
【特許請求の範囲】
【請求項１】
予め設定された複数の方向に指向性を切替可能なスマートアンテナを制御して、複数の放送局から送信される所定のチャンネルのテレビジョン放送を受信する放送受信機において、
当該放送受信機で想定しているスマートアンテナの各指向性方向を示す受信機方向番号に対して、ユーザが方角を識別できるようにユーザ方向番号を割り付ける割付手段と、
前記受信機方向番号と前記ユーザ方向番号との対応関係を記録するユーザ用方向記録手段と、
前記ユーザ用方向記録手段から、スマートアンテナの向いている指向性方向を示す前記受信機方向番号に対応する前記ユーザ方向番号を読み出して、テレビジョン受像機に表示させる表示制御手段と、
スマートアンテナに予め設定された各指向性方向を示すアンテナ方向番号をスマートアンテナの種別毎に記録したアンテナ別方向記録手段と、
スマートアンテナの種別をユーザに入力させる入力手段と、
前記アンテナ別方向記録手段から、前記入力手段で入力された種別に応じた前記アンテナ方向番号を読み出して、前記受信機方向番号と対応させる対応手段と、
前記アンテナ方向番号と前記受信機方向番号との対応関係を記録する受信機用方向記録手段と、
前記受信機用方向記録手段から、切り替え目標の指向性方向を示す前記受信機方向番号に対応する前記アンテナ方向番号を読み出して、当該アンテナ方向番号に基づいて前記スマートアンテナの指向性方向を切り替える切替制御手段と、を備えたことを特徴とする放送受信機。
【請求項２】
予め設定された複数の方向に指向性を切替可能な指向性切替アンテナを制御して、複数の放送局から送信される所定のチャンネルの放送を受信する放送受信機において、
指向性切替アンテナの各指向性方向を示す方向情報に対して、ユーザが方角を識別可能な識別情報を割り付ける割付手段と、
前記方向情報と前記識別情報との対応関係を記録するユーザ用方向記録手段と、
前記ユーザ用方向記録手段から、指向性切替アンテナの向いている指向性方向を示す前記方向情報に対応する前記識別情報を読み出して、表示手段に表示させる表示制御手段と、を備えたことを特徴とする放送受信機。
【請求項３】
予め設定された複数の方向に指向性を切替可能な指向性切替アンテナを制御して、複数の放送局から送信される所定のチャンネルの放送を受信する放送受信機において、
指向性切替アンテナに予め設定された各指向性方向を示すアンテナ方向情報を指向性切替アンテナの種別毎に記録したアンテナ別方向記録手段と、
指向性切替アンテナの種別をユーザに入力させる入力手段と、
前記アンテナ別方向記録手段から、前記入力手段で入力された種別に応じた前記アンテナ方向情報を読み出して、当該放送受信機で想定している各指向性方向を示す受信機方向情報と対応させる対応手段と、
前記アンテナ方向情報と前記受信機方向情報との対応関係を記録する受信機用方向記録手段と、
前記受信機用方向記録手段から、切り替え目標の指向性方向を示す前記受信機方向情報に対応する前記アンテナ方向情報を読み出して、当該アンテナ方向情報に基づいて前記指向性切替アンテナの指向性方向を切り替える切替制御手段と、を備えたことを特徴とする放送受信機。
【請求項４】
請求項２または請求項３に記載の放送受信機において、
前記指向性切替アンテナは、スマートアンテナであることを特徴とする放送受信機。
【発明の詳細な説明】
【技術分野】
【０００１】
本発明は、複数の放送局から送信される所定のチャンネルの放送を、指向性切替アンテナによって受信する放送受信機に関するものである。
【背景技術】
【０００２】
日本では一般に、一箇所の基地局からテレビジョン放送等の放送電波が送信されている。そのため、住居の屋根やベランダ等に放送受信用のアンテナを基地局へ向けて固定し、アンテナと放送受信機とをケーブルで接続することで、複数の放送局が送信している放送を略全て受信することができる。これに対して、米国等の海外では、複数の放送局からそれぞれ個別に放送電波が送信されている。そのため、アンテナを一箇所に向けて固定すると、アンテナの向いている方向にある放送局の放送は受信することができるが、アンテナの向いていない方向にある放送局の放送は受信することができない。
【０００３】
そこで、上記の事情を鑑みて、例えば下記の特許文献１、２に記載されているような指向性を切り替え可能なアンテナ（以下、指向性切替アンテナという。）を利用した放送受信機が開発されている。指向性切替アンテナは、複数のアンテナ素子と各アンテナ素子に対応する位相器等から構成され、各アンテナ素子で受信した信号の位相を各位相器で制御して合成することにより、指向性を電気的に可変させる。例えば指向性切替アンテナの一例であるスマートアンテナでは、指向性を１６方向に切り替えることが規格で規定されている。指向性切替アンテナの制御方法は、特許文献１、２の他、下記の特許文献３等にも開示されている。放送受信機は、指向性切替アンテナに制御信号を送信して、当該アンテナの指向性方向を所定の方向に切り替えさせることにより、所定の放送局から送信されている所定のチャンネルの放送電波を受信する。そして、放送受信機は、所定のチャンネルの放送電波を受信すると、チャンネル番号とそのときの指向性切替アンテナの指向性方向を示す情報とをメモリに記憶させる（特許文献１、２参照）。このとき、放送電波の送信元の識別番号等が記憶されることもある（特許文献３参照）。
【０００４】
上記のようにすることで、指向性切替アンテナを住居の屋根等に固定しても、放送受信機は、点在している複数の放送局から送信されている放送を殆ど全て受信して、チャンネル毎に受信可能な指向性切替アンテナの指向性方向を設定することができる。また、このように設定しておくことで、放送受信機は、その後リモコン等によってチャンネルが切り替えられたときに、切り替え先のチャンネルの放送を受信可能な指向性方向を示す情報をメモリから読み出し、その方向に指向性切替アンテナの指向性を切り替えて、同チャンネルの放送を即座に受信することができる。一般に、放送受信機で受信した放送の映像は、例えばテレビジョン受像機（以下、テレビという。）に表示され、ユーザに視聴可能となる。また、受信した放送のチャンネル番号もテレビに表示され、ユーザに認識可能となる。
【特許文献１】特開平１１−２９８２２６号公報
【特許文献２】特開２００１−１６８６２７号公報
【特許文献３】特開２００２−９４４４８号公報
【発明の開示】
【発明が解決しようとする課題】
【０００５】
従来、放送受信機で受信した放送の映像やチャンネル番号は、テレビに表示されていたが、指向性切替アンテナの指向性方向に関しては何の表示もされていなかった。このため、ユーザは、実際に指向性切替アンテナが東西南北のどの方角を向いているのかを認識することができなかった。またそれ故、ユーザは、現在受信している放送が自宅を中心としてどの方角にある放送局から送信されている放送であるかということが分からなかった。さらに、放送電波の受信感度が昼夜、天候、または自宅周辺の建物の建設状況等の要因によって変化した場合に、ユーザは、受信できるのはどの方角にある放送局から送信されている放送であるか、受信できないのはどの方角にある放送局から送信されている放送であるかということが分からなかった。そこで、このようなことに対処するため、指向性切替アンテナの指向性方向を示す情報を、テレビに表示させることが考えられる。しかし、指向性切替アンテナの指向性方向を示す情報は、予め当該アンテナにおけるある方向を基準にして設定されていて、実際の方角とは無関係である。そのため、指向性切替アンテナの指向性方向を示す情報をそのまま表示しても、ユーザは、指向性切替アンテナがどの方角を向いているのかを認識することができない。
【０００６】
また、現在指向性切替アンテナの指向性方向を示す情報の付し方は規格等で統一されておらず、指向性切替アンテナのメーカと放送受信機のメーカは独自に指向性方向を示す情報を付している。このため、放送受信機に接続される指向性切替アンテナの種別によっては、指向性切替アンテナに予め設定された指向性方向を示す情報と、放送受信機に予め設定された指向性方向を示す情報とが対応していないことがある。このように指向性方向を示す情報が対応していない場合、放送受信機が指向性切替アンテナに指向性方向を所定の方向に切り替えることを指示した制御信号を送信したときに、指向性切替アンテナが放送受信機で想定している方向とは違う方向に指向性方向を切り替えてしまい、指向性切替アンテナの制御上不都合が生じる。具体例を挙げると、所定のチャンネルの放送をサーチする際に、放送電波の受信感度の傾向を把握しようとして、放送受信機が指向性切替アンテナの指向性方向を時計回りで所定の角度ずつ規則的に切り替えるように制御しても、指向性切替アンテナが指向性方向を向きおよび角度を不規則に切り替えてしまい、放送電波の受信感度の傾向を全く把握できず、サーチ効率が悪くなる。
【０００７】
よって、本発明の課題とするところは、放送受信機が取り扱う指向性切替アンテナの指向性方向を示す情報を、ユーザが変更できるようにすることによって、上述した問題点を解決することにある。
【課題を解決するための手段】
【０００８】
本発明では、予め設定された複数の方向に指向性を切替可能な指向性切替アンテナを制御して、複数の放送局から送信される所定のチャンネルの放送を受信する放送受信機において、指向性切替アンテナの各指向性方向を示す方向情報に対して、ユーザが方角を識別可能な識別情報を割り付ける割付手段と、方向情報と識別情報との対応関係を記録するユーザ用方向記録手段と、ユーザ用方向記録手段から、指向性切替アンテナの向いている指向性方向を示す方向情報に対応する識別情報を読み出して、表示手段に表示させる表示制御手段とを設ける。
【０００９】
上記のようにすることで、ユーザが、割付手段によって指向性切替アンテナの各指向性方向を示す方向情報に対して、自身が方角を識別可能な識別情報を割り付けると、その後指向性切替アンテナの指向性方向を表示手段に表示させる際に、指向性切替アンテナの指向性方向を示す方向情報に対応する識別情報、即ち実際に指向性切替アンテナが向いている指向性の方角を示す識別情報が表示される。つまり、放送受信機が表示手段への表示時に取り扱う指向性切替アンテナの指向性方向を示す方向情報を、ユーザが方角を識別可能な識別情報に変更することができる。そして、変更した識別情報が表示されることにより、ユーザが実際の指向性切替アンテナの指向性の方角を認識可能となる。
【００１０】
また、本発明では、予め設定された複数の方向に指向性を切替可能な指向性切替アンテナを制御して、複数の放送局から送信される所定のチャンネルの放送を受信する放送受信機において、指向性切替アンテナに予め設定された各指向性方向を示すアンテナ方向情報を指向性切替アンテナの種別毎に記録したアンテナ別方向記録手段と、指向性切替アンテナの種別をユーザに入力させる入力手段と、アンテナ別方向記録手段から、入力手段で入力された種別に応じたアンテナ方向情報を読み出して、当該放送受信機で想定している各指向性方向を示す受信機方向情報と対応させる対応手段と、アンテナ方向情報と受信機方向情報との対応関係を記録する受信機用方向記録手段と、受信機用方向記録手段から、切り替え目標の指向性方向を示す受信機方向情報に対応するアンテナ方向情報を読み出して、当該アンテナ方向情報に基づいて指向性切替アンテナの指向性方向を切り替える切替制御手段とを設ける。
【００１１】
上記のようにすることで、ユーザが、入力手段によって放送受信機に接続した指向性切替アンテナの種別を入力すると、当該指向性切替アンテナに予め設定された各指向性方向を示すアンテナ方向情報と、放送受信機で想定している各指向性方向を示す受信機方向情報との対応が取られる。そして、その後指向性切替アンテナの指向性方向を切り替える際に、切り替え目標の指向性方向を示す受信機方向情報に対応するアンテナ方向情報に基づいて、指向性切替アンテナの指向性方向の切り替え制御が行われる。つまり、放送受信機が指向性切替アンテナの指向性切替時に取り扱う指向性切替アンテナの指向性方向を示す受信機方向情報を、ユーザが指向性切替アンテナの種別に応じた方向情報に変更することができる。そして、変更した方向情報に基づいて指向性切替アンテナの指向性方向が切り替え制御されることにより、指向性切替アンテナの指向性方向が放送受信機の想定どおりの方向に切り替えられ、指向性切替アンテナの制御上不都合が生じることを防止することができる。
【００１２】
また、本発明では、指向性切替アンテナとしてスマートアンテナを用いる。スマートアンテナでは、指向性を１６方向に切り替えることが規格で規定されている。このため、ユーザは、割付手段によってスマートアンテナの１６の指向性方向を示す各方向情報を、自身が方角を識別可能な識別情報にそれぞれ割り付けることができる。また、ユーザは、スマートアンテナの種別を入力手段で入力することによって、放送受信機で想定しているスマートアンテナの１６の指向性方向を示す各方向情報を、スマートアンテナの種別に応じた１６の方向情報にそれぞれ対応付けることができる。
【００１３】
さらに、本発明の典型的な実施形態では、予め設定された複数の方向に指向性を切替可能なスマートアンテナを制御して、複数の放送局から送信される所定のチャンネルのテレビジョン放送を受信する放送受信機において、当該放送受信機で想定しているスマートアンテナの各指向性方向を示す受信機方向番号に対して、ユーザが方角を識別できるようにユーザ方向番号を割り付ける割付手段と、受信機方向番号とユーザ方向番号との対応関係を記録するユーザ用方向記録手段と、ユーザ用方向記録手段からスマートアンテナの向いている指向性方向を示す受信機方向番号に対応するユーザ方向番号を読み出して、テレビジョン受像機に表示させる表示制御手段と、スマートアンテナに予め設定された各指向性方向を示すアンテナ方向番号をスマートアンテナの種別毎に記録したアンテナ別方向記録手段と、スマートアンテナの種別をユーザに入力させる入力手段と、アンテナ別方向記録手段から、入力手段で入力された種別に応じたアンテナ方向番号を読み出して、受信機方向番号と対応させる対応手段と、アンテナ方向番号と受信機方向番号との対応関係を記録する受信機用方向記録手段と、受信機用方向記録手段から、切り替え目標の指向性方向を示す受信機方向番号に対応するアンテナ方向番号を読み出して、当該アンテナ方向番号に基づいてスマートアンテナの指向性方向を切り替える切替制御手段とを設ける。
【００１４】
上記のようにすることで、放送受信機がテレビジョン受像機への表示時に取り扱うスマートアンテナの指向性方向を示す受信機方向番号を、ユーザが方角を識別可能なユーザ方向番号に変更することができる。そして、変更したユーザ方向番号がテレビジョン受像機の画面に表示されることにより、ユーザが実際にスマートアンテナが向いている指向性の方角を認識可能となる。また、放送受信機がスマートアンテナの指向性切替時に取り扱うスマートアンテナの指向性方向を示す受信機方向番号を、ユーザがスマートアンテナの型番に応じたアンテナ方向番号に変更することができる。そして、変更したアンテナ方向番号に基づいてスマートアンテナの指向性方向が切り替え制御されることにより、スマートアンテナの指向性方向が放送受信機の想定どおりの方向に切り替えられ、スマートアンテナの制御上不都合の生じることが防止される。
【発明の効果】
【００１５】
本発明によれば、放送受信機が表示手段への表示時に取り扱う指向性切替アンテナの指向性方向を示す情報を、ユーザが方角を識別可能な情報に変更することができるので、変更した情報が表示されることにより、ユーザが実際の指向性切替アンテナの指向性の方角を認識可能となる。また、放送受信機が指向性切替時に取り扱う指向性切替アンテナの指向性方向を示す情報を、ユーザが指向性切替アンテナの種別に応じた情報に変更することができるので、変更した情報に基づいて指向性方向の切替制御が行われることにより、指向性切替アンテナの指向性方向が放送受信機の想定どおりの方向に切り替えられ、制御上不都合が生じることを防止することができる。
【発明を実施するための最良の形態】
【００１６】
図１は、テレビジョン放送の受信システムを示すブロック図である。図１において、１は放送受信機、２はスマートアンテナ、３はテレビジョン受像機（以下、テレビという。）である。放送受信機１とテレビ３とは、一般家庭の住居内に据置されていて、ケーブルにより接続されている。スマートアンテナ２は、住居の屋根またはベランダに取付固定されていて、放送受信機１とケーブルにより接続されている。スマートアンテナ２は、４本のアンテナ素子２ａ〜２ｄと、各アンテナ素子２ａ〜２ｄに対応させて設けた位相器、合成器、および制御回路等（アンテナ素子２ａ〜２ｄ以外は図示省略）を備えていて、各アンテナ素子２ａ〜２ｄによって受信した信号の位相を各位相器で制御し、制御後の信号を合成器で合成することにより、指向性を電気的に１６方向に切り替える。なお、１６方向とは、スマートアンテナ２の周囲３６０°を１６分割した各方向のことであり、当該各方向は、０〜１５の番号で示される（例えば、図１１に図示）。放送受信機１は、スマートアンテナ２を制御して、スマートアンテナ２の指向性方向を切り替えさせることにより、住居の周辺に点在している複数の放送局より送信されるテレビジョン放送電波を受信する。放送受信機１は、本発明における放送受信機の一実施形態を構成し、スマートアンテナ２は、本発明における指向性切替アンテナの一実施形態を構成し、テレビ３は、本発明における表示手段の一実施形態を構成する。
【００１７】
４はＣＰＵやＲＯＭやＲＡＭ等からなる制御部であって、放送受信機１の各部を制御する。制御部４のＲＯＭには、制御用のプログラムおよびデータが記憶されていて、ＲＡＭには、制御用のデータが読み書き可能に記憶される。この制御部４は、後述するようにスマートアンテナ２の指向性方向の切り替え制御を行う。また、制御部４は、後述するようにスマートアンテナ２の各指向性方向を示す情報をテレビ３の画面に表示させる。さらに、制御部４は、後述するようにスマートアンテナ２に予め設定された各指向性方向を示す情報と、放送受信機１で想定している各指向性方向を示す情報とを対応させる。なお、放送受信機１で想定している各指向性方向を示す情報とは、放送受信機１に予め設定されたスマートアンテナ２の各指向性方向を示す情報のことである。各指向性方向を示す情報の詳細は後述する。制御部４は、本発明における切替制御手段、表示制御手段、および対応手段の一実施形態を構成する。
【００１８】
５はチューナ、６は信号処理部、７はＯＳＤ回路である。チューナ５は、スマートアンテナ２によって受信されたテレビジョン放送電波から所定のチャンネルのテレビジョン放送信号を抽出する。信号処理部６は、チューナ５から出力されるテレビジョン放送信号を処理して映像信号と音声信号とを生成し、生成した映像信号と音声信号とをテレビ３に出力する。ＯＳＤ回路７は、制御部４から出力される画像データをテレビ３にＯＳＤ（オンスクリーン表示）として表示できるように処理して出力する。テレビ３は、信号処理部６から出力される映像信号と音声信号とを処理して、映像をモニタに表示し、音声をスピーカから出力する。また、テレビ３は、ＯＳＤ回路７から出力される画像データを処理して、画像をモニタにＯＳＤとして表示する。８は不揮発性のメモリ、９はチャンネルキーや電源キー等の各種のキーを備えた操作部、１０はリモートコントローラ（以下、リモコンという。）１１からの信号を受信するリモコン受信部である。リモコン１１は、チャンネルキー、メニューキー、および十字キー等の各種のキーを備えている。
【００１９】
上述した構成において、ユーザが放送受信機１とスマートアンテナ２とを接続した後、放送受信機１の電源を投入すると、制御部４は、チャンネルのプリセット（初期設定）を行う。なお、ユーザがリモコン１１を操作して、プリセットを指示したときにも、制御部４は、チャンネルのプリセットを行う。まず、制御部４は、メモリ８の所定領域に予め記憶されたある放送局の放送のチャンネル番号を１つ読み出し、読み出したチャンネル番号をサーチ対象のチャンネル番号としてスマートアンテナ２に送信する。スマートアンテナ２は、サーチ対象のチャンネル番号を受信すると、そのチャンネル番号に応じた周波数帯域の電波を受信できるように各部を設定する。チャンネル番号の送信後、制御部４は、指向性方向を０〜１５のいずれかの方向に切り替えることを指示した制御信号を、スマートアンテナ２に所定の周期で送信して、スマートアンテナ２に指向性方向を所定の順序で切り替えさせて行く。そして、スマートアンテナ２がいずれかの指向性方向でサーチ対象のチャンネル番号の放送電波を所定のレベル以上で受信すると、制御部４は、サーチ対象のチャンネル番号と、そのときスマートアンテナ２に切り替えを指示していた指向性方向を示す情報である方向番号とを関連付けて、メモリ８の所定領域に記録する。
【００２０】
この後、制御部４は、上記と同様の手順を何度か繰り返して、チャンネル番号と当該チャンネル番号の放送電波を受信したスマートアンテナ２の方向番号とを随時記録して行く。そして、メモリ８の所定領域に予め記憶された全てのチャンネルのプリセットが完了すると、メモリ８の所定領域には、図２に示すようなチャンネルプリセットテーブルＴ１が作成される。本テーブルＴ１において、左側の「２、４、６、・・・、ｎ」は、チャンネル番号を示している。右側の「１４、１、５、・・・、１０」は、各チャンネル番号に関連付けて記録されたスマートアンテナ２の指向性方向の方向番号、言い換えれば各チャンネル番号の放送電波を受信可能と放送受信機１で想定しているスマートアンテナ２の方向番号を示している。
【００２１】
テーブルＴ１が作成されたことは、住居の周囲に点在している複数の放送局から送信されている放送電波を殆ど全て受信して、チャンネル番号毎に受信可能なスマートアンテナ２の指向性方向を放送受信機１に設定できたことを意味する。このため、テーブルＴ１の作成後、ユーザが前述のリモコン１１を操作してチャンネルを切り替えたときに、制御部４は、切り替え先のチャンネル番号の放送を受信可能なスマートアンテナ２の方向番号をテーブルＴ１から読み出し、当該番号の示す方向にスマートアンテナ２の指向性方向を切り替えさせて、同チャンネル番号の放送電波を即座に受信することができる。そして、制御部４は、受信した放送電波を前述のチューナ５および信号処理部６により処理して、即座にテレビ３に映像を表示させ、音声を出力させることができる。つまりこれらにより、ユーザが切り替え先のチャンネル番号の放送を視聴可能になるまでの時間を短縮することが可能となる。
【００２２】
図３は、前述のテレビ３に表示される画面の一例を示す図である。ユーザが前述のリモコン１１を所定の手順で操作すると、制御部４は、前述のＯＳＤ回路７によって、図３のアンテナ方向変更画面Ｇ１をテレビ３に表示させる。アンテナ方向変更画面Ｇ１には、アンテナ方向割り付けボタンＢ１と、アンテナ方向対応付けボタンＢ２とが設けられている。先に、アンテナ方向割り付けボタンＢ１が押された場合について説明する。ユーザがリモコン１１を操作して、アンテナ方向割り付けボタンＢ１を押すと、制御部４は、画面Ｇ１に代えて、図４に示すアンテナ方向割り付け画面Ｇ２をテレビ３に表示させる。
【００２３】
アンテナ方向割り付け画面Ｇ２は、放送受信機１で想定しているスマートアンテナ２の各指向性方向を示す方向番号に対して、ユーザが方角を識別できるように方向番号を割り付けるための画面である。アンテナ方向割り付け画面Ｇ２は、本発明における割付手段の一実施形態を構成する。Ｄはスマートアンテナ２の各指向性方向を直線で示した方向図である。各直線の交差している部分はスマートアンテナ２の中心を示している。「０〜１５」は放送受信機１で想定しているスマートアンテナ２の各指向性方向を示す方向番号、「（０）〜（１５）」はユーザによって割り付けられた方向番号である。なお、本実施形態では、割り付けられた方向番号「（０）〜（１５）」に、括弧をつけて表しているが、これは放送受信機１で想定している方向番号「０〜１５」と区別するための便宜的な表現である。これ以外に、両方向番号を、例えば異なる字体または色彩で表す等して区別してもよい。Ｒ１はチャンネル番号の入力表示欄、Ｒ２は放送受信機１で想定している方向番号の入力表示欄、Ｒ３はユーザが割り付ける方向番号の入力表示欄である。Ｂ３は決定ボタン、Ｂ４は取消ボタンである。
【００２４】
アンテナ方向割り付け画面Ｇ２を利用する前に、ユーザは、ある放送局が自宅を中心としてどの方角に位置していて、放送するチャンネル番号が何番であるかを把握しておく。例えば、地図や、インターネット上の放送局に関する情報を提供しているサイト等を見ることで、図７に示すような自宅Ｈ周辺における放送局Ａの点在状況を知ることができる。ここでは、図７の点在状況により、自宅Ｈから北（Ｎ）の方角に放送局Ａ１が位置していることを把握する。また、新聞のテレビジョン放送の掲載欄や、インターネットのサイト等を見ることで、各放送局の放送毎に割り当てられたチャンネル番号の割当状況を知ることができる。よって、その割当状況により、放送局Ａ１が放送するチャンネル番号が、例えば「２」であると把握する。
【００２５】
上記のように放送局Ａ１が自宅から北の方角に位置していて、放送するチャンネル番号が「２」であることを把握した上で、アンテナ方向割り付け画面Ｇ２において、まずユーザは、リモコン１１を操作して、放送局Ａ１が放送するチャンネル番号の「２」を入力表示欄Ｒ１に入力する。すると、制御部４は、前述のチャンネルプリセットテーブルＴ１（図２）から入力されたチャンネル番号「２」の放送を受信可能なスマートアンテナ２の方向番号「１４」を読み出して、入力表示欄Ｒ２に表示する。またこのとき、制御部４は、方向図Ｄ中の方向番号「１４」を四角で囲む等のように、他の方向番号とは違う態様で表示する。これにより、ユーザは、方向番号「１４」が北の方角を向いているということが分かる。しかし、方向番号「１４」からは北の方角を連想し難く、忘れてしまうこともあるため、ユーザは、方向番号「１４」に対して自身が北の方角を連想し易くかつ覚え易い方向番号「（０）」を入力表示欄Ｒ３に入力して割り付ける。これにより、制御部４は、方向図Ｄ中の方向番号「１４」と同一方向に、方向番号「（０）」を四角で囲む等のように、他の方向番号とは違う態様で表示する。
【００２６】
この後、ユーザは、方向番号「（０）」が北の方角を示しているということを把握した上で、他の方向番号「０〜１３、１５」に対して、自身が各方角を識別可能な方向番号「（１）〜（１５）」をそれぞれ個別に割り付ける。例えば、ユーザが方向番号「１５」を入力表示欄Ｒ２に入力した後に、方向番号「（１）」を入力表示欄Ｒ３に入力すると、方向番号「１５」に対して方向番号「（１）」を割り付けることができる。図４の方向図Ｄに示す例では、方向番号「（０）」を割り付けた方向から時計回りの順序で他の方向番号「（１）〜（１５）」を割り付けているため、例えば方向番号「（４）」は東の方角を示し、方向番号「（８）」は南の方角を示し、方向番号「（１２）」は西の方角を示している。
【００２７】
各方向番号「０〜１５」に対して方向番号「（０）〜（１５）」を割り付けた後、ユーザがリモコン１１を操作して、決定ボタンＢ３を押すと、制御部４は、各方向番号「０〜１５」と、これらにそれぞれ割り付けた各方向番号「（０）〜（１５）」とを関連付けて、メモリ８の所定領域に記録する。これにより、メモリ８の所定領域には、図５に示すようなユーザ／アンテナ方向対応テーブルＴ２が作成される。本テーブルＴ２において、左側には、放送受信機１で想定している方向番号「０〜１５」が示され、右側には、ユーザが各方向番号「０〜１５」に対して割り付けた方角を識別可能な方向番号「（０）〜（１５）」が示されている。つまり、テーブルＴ２には、方向番号「０〜１５」と方向番号「（０）〜（１５）」との対応関係が記録されている。なお、テーブルＴ２の作成後に、ユーザが図４の取消ボタンＢ４を押すと、制御部４はテーブルＴ２の全情報を消去する。ユーザ／アンテナ方向対応テーブルＴ２は、本発明におけるユーザ用方向記録手段の一実施形態を構成する。
【００２８】
上記のようにテーブルＴ２が作成された後、ユーザがリモコン１１を操作して、チャンネルを所望のチャンネル番号に切り替えると、制御部４は、前述したようにテーブルＴ１（図２）から所望のチャンネル番号の放送電波を受信可能な方向番号「０〜１５」を読み出し、読み出した方向番号「０〜１５」の示す方向にスマートアンテナ２の指向性方向を切り替えさせる。そして、スマートアンテナ２が所望のチャンネル番号の放送電波を受信すると、制御部４は、受信した放送電波をチューナ５および信号処理部６により処理して、テレビ３に映像を表示させるとともに音声を出力させる。また同時に、制御部４は、テーブルＴ２から、このときスマートアンテナ２が向いている指向性方向（スマートアンテナ２に切り替えさせた指向性方向）を示す方向番号「０〜１５」に対応する方向番号「（０）〜（１５）」を読み出し、読み出した方向番号「（０）〜（１５）」を所望のチャンネル番号とともに、前述のＯＳＤ回路７によりテレビ３に表示させる。
【００２９】
図６は、このときテレビ３に表示される画面の一例を示す図である。画面Ｇ３の右上には、スマートアンテナ２の向いている方角を識別可能な方向番号として「（０）」がＯＳＤにより表示されている。画面Ｇ３の左上には、ユーザが選局したチャンネル番号として「２」がＯＳＤにより表示されている。斜線で示す画面Ｇ３の全体には、受信したチャンネル番号「２」の放送映像が映し出されている。なお、チャンネル切り替え時だけでなく、例えばリモコン１１の操作により表示指示があった時等に、スマートアンテナ２の方角を識別可能な方向番号をテレビ３に表示するようにしてもよい。
【００３０】
上述のようにすることで、放送受信機１の制御部４がテレビ３へ表示するスマートアンテナ２の指向性方向を示す方向番号を、ユーザが方角を識別可能な方向番号に変更することができる。そして、変更した方向番号がテレビ３に表示されることで、ユーザは実際のスマートアンテナ２の向いている方角を認識可能となる。この結果、ユーザは、現在受信している放送が自宅Ｈからどの方角にある放送局Ａ、Ａ１から送信されている放送であるかということを把握することができる。また、放送電波の受信感度が昼夜、天候、または自宅Ｈ周辺の建物の建設状況等の要因によって変化した場合に、ユーザは、受信できるのはどの方角にある放送局Ａ、Ａ１から送信されている放送であるか、受信できないのはどの方角にある放送局Ａ、Ａ１から送信されている放送であるかということを把握することができる。
【００３１】
次に、図３に示したアンテナ方向変更画面Ｇ１において、アンテナ方向対応付けボタンＢ２を押した場合について説明する。ユーザがリモコン１１を操作して、アンテナ方向対応付けボタンＢ２を押すと、制御部４は、画面Ｇ１に代えて、図８に示すアンテナ方向対応付け画面Ｇ４をテレビ３に表示させる。
【００３２】
アンテナ方向対応付け画面Ｇ４は、スマートアンテナ２に予め設定された各指向性方向を示す方向番号と、放送受信機１で想定しているスマートアンテナ２の各指向性方向を示す方向番号とを対応付けるために、スマートアンテナ２の種別として型番をユーザに入力（指定）させるための画面である。アンテナ方向対応付け画面Ｇ４は、本発明における入力手段の一実施形態を構成する。Ｗは表示ウインドウ、Ｋはカーソル、Ｂ５は決定ボタン、Ｂ６は取消ボタンである。表示ウインドウＷには、放送受信機１に接続可能なスマートアンテナ２の型番が複数表示されている。放送受信機１に接続可能なスマートアンテナ２の型番は、メモリ８の所定領域に予め記憶された図９に示すアンテナ別方向テーブルＴ３に記録されている。
【００３３】
図９のアンテナ別方向テーブルＴ３には、スマートアンテナ２に予め設定された各指向性方向を示す方向番号「０’〜１５’」が、スマートアンテナ２の型番毎に記録されている。より詳しく言うと、例えば動作確認試験等によって、スマートアンテナ２の各方向番号と放送受信機１の各方向番号との対応関係を調査した結果が、テーブルＴ３にはスマートアンテナ２の型番毎に記録されている。なお、テーブルＴ３の記録情報は、例えば、放送受信機１をインターネットに接続し、インターネット上の所定のサイトから最新の記録情報を取得した後、取得した最新の記録情報を既存の記録情報に上書きすることで更新することができる。アンテナ別方向テーブルＴ３は、本発明におけるアンテナ別方向記録手段の一実施形態を構成する。
【００３４】
図８のアンテナ方向対応付け画面Ｇ４の利用の仕方を説明する前に、まず、スマートアンテナ２に予め設定された方向番号「０’ 〜１５’」と、放送受信機１で想定している方向番号「０〜１５」との対応状況について図１１を参照しながら説明する。図１１では、スマートアンテナ２の各指向性方向を直線で示している。各直線の交差している部分はスマートアンテナ２の中心を示している。なお、本実施形態では、スマートアンテナ２に予め設定された方向番号「０’ 〜１５’」に、アポストロフィ（’）をつけて表しているが、これは放送受信機１で想定している方向番号「０〜１５」と区別するための便宜的な表現である。これ以外に、両方向番号を、例えば異なる字体または色彩で表す等して区別してもよい。
【００３５】
現在スマートアンテナの規格では、指向性方向を示す方向番号の付し方が統一されていないため、スマートアンテナのメーカと放送受信機のメーカは、独自に方向番号を付している。放送受信機１に接続されたスマートアンテナ２が、放送受信機１のメーカの推奨品である場合は、メーカ間での調整により、放送受信機１で想定している方向番号「０〜１５」と、スマートアンテナ２に予め設定された方向番号「０’ 〜１５’」とは既に対応が取られている。即ち、図１１（ａ）に示すように放送受信機１の各方向番号「０〜１５」と、スマートアンテナ２の各方向番号「０’ 〜１５’」とが全て同一方向を示している。このような場合は、図８のアンテナ方向対応付け画面Ｇ４でスマートアンテナ２の型番を入力する必要はない。なお、両方向番号の対応を確実にするために、スマートアンテナ２の型番を入力してもよいのはもちろんである。一方、放送受信機１に接続されたスマートアンテナ２が、放送受信機１のメーカの推奨品でない場合は、メーカ間で調整されていないことにより、放送受信機１で想定している方向番号「０〜１５」と、スマートアンテナ２に予め設定された方向番号「０’ 〜１５’」とは対応が取られていない。即ち、図１１（ｂ）に示すように放送受信機１の各方向番号「０〜１５」と、スマートアンテナ２の各方向番号「０’ 〜１５’」とで異なる方向を示しているものがある。このような場合は、両方向番号の対応を取るために、図８のアンテナ方向対応付け画面Ｇ４でスマートアンテナ２の型番を入力する必要がある。
【００３６】
アンテナ方向対応付け画面Ｇ４において、まずユーザは、リモコン１１を操作して、カーソルＫを放送受信機１に接続したスマートアンテナ２の型番に合わせる。そして、ユーザは、リモコン１１を操作して、決定ボタンＢ５を押すことにより、スマートアンテナ２の型番を指定する。すると、制御部４は、図９のアンテナ別方向テーブルＴ３から、指定されたスマートアンテナ２の型番に応じた各方向番号情報「０’〜１５’」を読み出す。そして、制御部４は、読み出した各方向番号情報「０’〜１５’」と、放送受信機１で想定している各方向番号「０〜１５」とを対応させ、その対応関係をメモリ８の所定領域に記録する。これにより、メモリ８の所定領域には、図１０に示すような受信機／アンテナ方向対応テーブルＴ４が作成される。本テーブルＴ４において、左側には、放送受信機１で想定している方向番号「０〜１５」が示され、右側には、各方向番号「０〜１５」に対応するスマートアンテナ２に予め設定された各方向番号「０’〜１５’」が示されている。なお、このテーブルＴ４の作成後に、ユーザが図８の取消ボタンＢ６を押すと、制御部４はテーブルＴ４の全情報を消去する。受信機／アンテナ方向対応テーブルＴ４は、本発明における受信機用方向記録手段の一実施形態を構成する。
【００３７】
所定のチャンネル番号の放送電波をサーチする際に、上記のテーブルＴ４が作成される前、即ち放送受信機１で想定している方向番号「０〜１５」と、スマートアンテナ２に予め設定された方向番号「０’〜１５’」とが対応付けられる前は、制御部４は、スマートアンテナ２の切り替え目標の指向性方向を示す方向番号「０〜１５」を、切り替えを指示する制御信号に含めてスマートアンテナ２に送信する。このため、制御部４が、例えば放送電波の受信感度の傾向を把握しようとして、図１２（ａ）において、方向番号「０」の示す方向から時計回りの順序で指向性方向を切り替えさせるように、方向番号「０〜１５」を増加する順番で制御信号に含めてスマートアンテナ２に所定の周期で送信して行くと、スマートアンテナ２は、方向番号「０’〜１５’」が増加する順序（図１２（ａ）の丸で囲んだ順序）で指向性方向を切り替える。このように放送受信機１で想定している順序とは違う順序でスマートアンテナ２の指向性方向が切り替わると、制御部４は放送電波の受信感度の傾向を全く把握できず、サーチ効率が悪くなっていた。
【００３８】
これに対して、テーブルＴ４が作成された後、即ち放送受信機１で想定している方向番号「０〜１５」と、スマートアンテナ２に予め設定された方向番号「０’〜１５’」とが対応付けられた後は、制御部４は、スマートアンテナ２の切り替え目標の指向性方向を示す方向番号「０〜１５」に対応する方向番号「０’〜１５’」をテーブルＴ４から読み出し、読み出した方向番号「０’〜１５’」を制御信号に含めてスマートアンテナ２に送信する。これにより、制御部４が、図１２（ｂ）において、方向番号「０」の示す方向から時計回りの順番で指向性方向を切り替えさせるように、方向番号「０’〜１５’」を方向番号「０〜１５」が増加する順序（「０’」、「４’」、「８’」、「１２’」、「２’」、「６’」、「１０’」、「１４’」、「１’」、「５’」、「９’」、「１３’」、「３’」、「７’」、「１１’」、「１５’」の順番）で制御信号に含めてスマートアンテナ２に所定の周期で送信して行くと、スマートアンテナ２は、方向番号「０’」の示す方向から時計回りの順序（図１２（ｂ）の丸で囲んだ順序）で指向性方向を切り替える。このように放送受信機１で想定している順序どおりにスマートアンテナ２の指向性方向が切り替わると、制御部４は放送電波の受信感度の傾向を把握でき、サーチ効率が悪くなることはない。
【００３９】
上述のようにすることで、放送受信機１がスマートアンテナ２の指向性切替時に取り扱うスマートアンテナ２の指向性方向を示す方向番号を、ユーザがスマートアンテナ２の種別に応じた方向番号に変更することができる。そして、変更した方向番号に基づいてスマートアンテナ２の指向性方向が切り替え制御されるので、スマートアンテナ２の指向性方向が放送受信機１の想定どおりの方向に切り替えられ、スマートアンテナ２の制御上不都合が生じることを防止することができる。
【００４０】
本発明は、以上述べた実施形態以外にも種々の形態を採用することができる。例えば、図４に示した実施形態では、スマートアンテナ２の方向番号「０〜１５」のそれぞれに対して、ユーザが方角を識別可能な方向番号「（０）〜（１５）」を個別に割り付ける場合を例に挙げているが、本発明はこれのみに限定するものではない。これ以外に、例えば、予め幾つかの割り付けパターンを規定してメモリ８の所定領域に記憶しておき、その中からいずれかの割り付けパターンをユーザに選択させて、当該いずれかの割り付けパターンに従って各方向番号「０〜１５」に各方向番号「（０）〜（１５）」を自動的に割り付けるようにしてもよい。図１３および図１４は、この場合の一実施形態を示す図である。なお、図１３では、図４と同一部分については同一符号を付してある。図１３に示すＧ５は、本実施形態における割付手段としてのアンテナ方向割り付け画面である。Ｒ４は放送受信機１で想定している方向番号の中から基準となる方向番号を入力しまたは表示する入力表示欄である。Ｒ５はユーザが割り付ける方向番号の中から基準となる方向番号を入力しまたは表示する入力表示欄である。Ｐ１〜Ｐ３は予め規定された３つの割り付けパターンＸ、Ｙ、Ｚのいずれかを選択する選択ボタンである。各割り付けパターンＸ、Ｙ、Ｚは、図１４（ａ）〜（ｃ）に示すとおりであり、メモリ８の所定領域に記憶されている。なお、図１４（ａ）〜（ｃ）に示す態様以外のパターンを割り付けパターンとして採用してもよいし、割り付けパターンの数を２つまたは４つ以上用意してもよい。
【００４１】
アンテナ方向割り付け画面Ｇ５において、まずユーザは、自宅から北の方角にある放送局Ａ１の放送チャンネル番号が「２」であることを把握した上で、「２」を入力表示欄Ｒ１に入力する。すると、制御部４は、チャンネルプリセットテーブルＴ１（図２）からチャンネル番号「２」の放送を受信可能な方向番号「１４」を読み出して、入力表示欄Ｒ４に表示する。これにより、ユーザは、方向番号「１４」が北の方角を向いているということが分かるので、この方向番号「１４」に対して北の方角を識別可能な方向番号「（０）」を入力表示欄Ｒ５に入力し、続いて、選択ボタンＰ１〜Ｐ３のいずれかを押して、割り付けパターンＸ、Ｙ、Ｚを１つ選択する。すると、制御部４は、方向番号「１４」を放送受信機１で想定している方向番号の基準とし、方向番号「（０）」を割り付ける方向番号の基準として、両方向番号「１４」、「（０）」が同一方向を示すように、選択された割り付けパターンＸ、Ｙ、Ｚに従って各方向番号「（０）〜（１５）」を各方向番号「０〜１５」に割り付けて、方向図Ｄに表示する。この後、ユーザが決定ボタンＢ３を押すと、制御部４は、方向図Ｄに表示している割り付け形態で各方向番号「０〜１５」と各方向番号「（０）〜（１５）」とを関連付けて、メモリ８の所定領域に記録し、図５に示したようなユーザ／アンテナ方向対応テーブルＴ２を作成する。このようにすることで、ユーザの方向番号の割り付けに伴う負担を軽減することができる。
【００４２】
また、以上述べた実施形態では、ユーザが方角を識別可能な識別情報として方向番号「（０）〜（１５）」を、スマートアンテナ２の各方向番号「０〜１５」に割り付けて、テレビ３の画面Ｇ３に表示する場合を例に挙げているが、本発明はこれのみに限定するものではない。これ以外に、例えば各方角を意味する文字「北、西、東、南、・・・」や、各方角の英語表記の頭文字「Ｎ、Ｗ、Ｅ、Ｓ、・・・」等を割り付けて、表示するようにしてもよい。また、各方角を指す矢印等から構成される図や、マーク等を表示するようにしてもよい。このような文字や図等をテレビ３の画面Ｇ３に表示すると、ユーザは各方角を一目瞭然で認識することができる。
【００４３】
また、図８に示した実施形態では、放送受信機に接続されたスマートアンテナ２の種別として、スマートアンテナ２の型番を指定する場合を例に挙げているが、本発明はこれのみに限定するものではない。スマートアンテナの種別として、これ以外に製品名、メーカ名、またはシリアルナンバー等のような、アンテナを特定することが可能な情報を入力するようにしてもよい。
【００４４】
また、図１２に示した実施形態では、所定のチャンネル番号の放送電波をサーチする際に、方向番号「０」の示す方向から時計回りの順序でスマートアンテナ２の指向性方向を切り替えて行く場合を例に挙げているが、本発明はこれのみに限定するものではない。上記の順序以外の順序でスマートアンテナの指向性方向を切り替えて行くようにしても、その順序どおりに切り替えることができる。
【００４５】
さらに、以上述べた実施形態では、スマートアンテナ２を接続した放送受信機１に、本発明を適用した場合を例に挙げているが、本発明はこれ以外にも、例えばスマートアンテナ以外のアダプティブアレイアンテナのような複数の方向に指向性を切替可能なアンテナを接続した放送受信機に適用することが可能である。また、例えばラジオ放送を受信する放送受信機や、衛星放送を受信する放送受信機のようなものにも適用することが可能である。
【図面の簡単な説明】
【００４６】
【図１】テレビジョン放送の受信システムを示すブロック図である。
【図２】放送受信機のメモリの記憶内容の一例を示す図である。
【図３】テレビの表示画面の一例を示す図である。
【図４】テレビの表示画面の一例を示す図である。
【図５】放送受信機のメモリの記憶内容の一例を示す図である。
【図６】テレビの表示画面の一例を示す図である。
【図７】自宅周辺の放送局の点在状況を示す図である。
【図８】テレビの表示画面の一例を示す図である。
【図９】放送受信機のメモリの記憶内容の一例を示す図である。
【図１０】放送受信機のメモリの記憶内容の一例を示す図である。
【図１１】スマートアンテナの方向番号の対応状況を示す図である。
【図１２】スマートアンテナの指向性方向の切り替え順序を示す図である。
【図１３】他の実施形態を示す図である。
【図１４】他の実施形態を示す図である。
【符号の説明】
【００４７】
１    放送受信機
２    スマートアンテナ
３    テレビジョン受像機
４    制御部
Ａ、Ａ１  放送局
Ｇ２  アンテナ方向割り付け画面
Ｇ４  アンテナ方向対応付け画面
Ｔ２  ユーザ／アンテナ方向対応テーブル
Ｔ３  アンテナ別方向テーブル
Ｔ４  受信機／アンテナ方向対応テーブル
【図１】
2006005782.tif 000003
【図２】
2006005782.tif 000004
【図３】
2006005782.tif 000005
【図４】
2006005782.tif 000006
【図５】
2006005782.tif 000007
【図６】
2006005782.tif 000008
【図７】
2006005782.tif 000009
【図８】
2006005782.tif 000010
【図９】
2006005782.tif 000011
【図１０】
2006005782.tif 000012
【図１１】
2006005782.tif 000013
【図１２】
2006005782.tif 000014
【図１３】
2006005782.tif 000015
【図１４】
2006005782.tif 000016